(57)【要約】【課題】手間をかけず簡単な操作で、画像処理装置で生成した画像ファイルを電子メールに添付し、当該電子メールの所望のサブジェクトや本文を作成することが可能な画像処理装置及びプログラムを提供する。【解決手段】  クライアントＰＣ４で実行されるアプリケーションは、複合機１の複合機プログラムと通信を行って複合機１で原稿を読み取ることにより生成された画像ファイルを受信し（ステップＳ１２）、電子メールを生成して（ステップＳ１３）受信した画像ファイルを添付ファイルとして添付し（ステップＳ１４）、そして、当該電子メールを電子メールソフト４ｂが管理する草稿用フォルダ４ｃに保存する（ステップＳ１５）。【選択図】図６
2008263333.tif 000002
【特許請求の範囲】
【請求項１】
ネットワークを介して画像処理装置と接続されたコンピュータに、
電子メールを生成する手順Ａ、
前記画像処理装置で生成された画像ファイルを前記手順Ａにおいて生成した電子メールに添付する手順Ｂ、
前記手順Ｂにおいて前記画像ファイルが添付された前記電子メールを草稿用フォルダに書き込む手順Ｃ、を実行させるためのプログラム。
【請求項２】
前記手順Ｂは、前記画像処理装置と通信を行って、前記画像処理装置で生成された画像ファイルを受信する手順Ｂ−１を含むことを特徴とする請求項１に記載のプログラム。
【請求項３】
前記手順Ｂは、前記画像処理装置が画像ファイルを書き込む共有フォルダから前記画像処理装置で生成された画像ファイルを取得する手順Ｂ−１を含むことを特徴とする請求項１に記載のプログラム。
【請求項４】
電子メールソフトであることを特徴とする請求項１乃至３のいずれか１に記載のプログラム。
【請求項５】
請求項１乃至４のいずれか１に記載のプログラムが記録されたコンピュータ読み取り可能な記録媒体。
【請求項６】
請求項２又は４に記載のプログラムがインストールされたパーソナルコンピュータとネットワークを介して接続される画像処理装置であって、
原稿の画像を読み取って画像ファイルを生成する生成手段と、
前記パーソナルコンピュータと通信を行って前記生成手段で生成した画像ファイルを送信する送信手段と、を備えることを特徴とする画像処理装置。
【請求項７】
請求項３又は４に記載のプログラムがインストールされたパーソナルコンピュータとネットワークを介して接続される画像処理装置であって、
原稿の画像を読み取って画像ファイルを生成する生成手段と、
前記生成手段で生成した画像ファイルを、前記パーソナルコンピュータの共有フォルダに書き込む書込手段と、を備えることを特徴とする画像処理装置。
【請求項８】
請求項２又は４に記載のプログラムがインストールされたパーソナルコンピュータとネットワークを介して接続された画像処理装置に搭載されたコンピュータに、
原稿の画像を読み取って画像ファイルを生成する手順Ｄ、
前記パーソナルコンピュータと通信を行って前記手順Ｄにおいて生成した画像ファイルを送信する手順Ｅ、を実行させるためのプログラム。
【請求項９】
請求項３又は４に記載のプログラムがインストールされたパーソナルコンピュータとネットワークを介して接続された画像処理装置に搭載されたコンピュータに、
原稿の画像を読み取って画像ファイルを生成する手順Ｄ、
前記手順Ｄにおいて生成した画像ファイルを、前記パーソナルコンピュータの共有フォルダに書き込む手順Ｅ、を実行させるためのプログラム。
【請求項１０】
請求項８又は９に記載のプログラムが記録されたコンピュータ読み取り可能な記録媒体。
【発明の詳細な説明】
【技術分野】
【０００１】
本発明は、画像処理装置及びプログラムに関し、詳しくは、スキャンした原稿の画像データをファイルとしてクライアントＰＣ（Personal Computer）に出力する画像処理装置、並びに、画像処理装置又はクライアントＰＣにて実行されるプログラムに関するものである。
【背景技術】
【０００２】
従来、スキャナでスキャンした原稿の画像データに基づいて画像ファイルを生成し、生成した画像ファイルを電子メールに添付ファイルとして添付して当該電子メールを所望の宛先に向けて送信するいわゆるスキャン・トゥ・メール機能を備えた画像処理装置が発明されている（例えば、特許文献１参照。）。また、スキャナでスキャンした原稿の画像データに基づいて生成した画像ファイルをクライアントＰＣのフォルダに書き込むいわゆるスキャン・トゥ・フォルダ機能を備えた画像処理装置が発明されている。
【特許文献１】特開２００５−３１１４６５号公報
【発明の開示】
【発明が解決しようとする課題】
【０００３】
スキャン・トゥ・メール機能を備えた画像処理装置で生成する電子メールのサブジェクト欄や本文欄の内容は、予め登録された定型のものであり、利用者が所望のサブジェクト欄や本文欄の内容を個別に作成すること、特に、サブジェクト欄や本文欄の内容を日本語で作成することが困難であるという問題がある。
【０００４】
また、スキャン・トゥ・フォルダ機能によってフォルダに書き込まれた画像ファイルを、当該フォルダが存在するクライアントＰＣで電子メールに添付して送信する場合には、利用者が電子メールを生成し、フォルダ内の画像ファイルを指定して電子メールに添付しなければならず手間がかかるという問題がある。
【０００５】
そこで、本発明は、手間をかけず簡単な操作で、画像処理装置で生成した画像ファイルを電子メールに添付し、当該電子メールの所望のサブジェクトや本文を作成することが可能な画像処理装置及びプログラムを提供することを目的とする。
【課題を解決するための手段】
【０００６】
上記目的を達成するために、請求項１に記載のプログラムは、ネットワークを介して画像処理装置と接続されたコンピュータに、電子メールを生成する手順Ａ、前記画像処理装置で生成された画像ファイルを前記手順Ａにおいて生成した電子メールに添付する手順Ｂ、前記手順Ｂにおいて前記画像ファイルが添付された前記電子メールを草稿用フォルダに書き込む手順Ｃ、を実行させる。
【０００７】
このプログラムによれば、ネットワークを介して画像処理装置と接続されたコンピュータに、手順Ａにおいて、電子メールを生成させ、手順Ｂにおいて、画像処理装置で生成された画像ファイルを手順Ａで生成した電子メールに添付させ、そして、手順Ｃにおいて、手順Ｂで画像ファイルが添付された電子メールを草稿用フォルダに書き込ませる。
【０００８】
このように、画像処理装置で生成された画像ファイルが添付された電子メールを草稿用フォルダに書き込ませるので、草稿用フォルダを電子メールソフト（メーラー）で管理している草稿用フォルダとすれば、利用者は、手間をかけずに簡単な操作で、電子メールソフトを用いて、宛先欄、サブジェクト欄、本文欄の内容を日本語で作成することができる。
【０００９】
請求項２に記載のプログラムは、請求項１に記載のプログラムであって、前記手順Ｂは、前記画像処理装置と通信を行って、前記画像処理装置で生成された画像ファイルを受信する手順Ｂ−１を含むことを特徴としている。
【００１０】
このプログラムによれば、手順Ｂには、画像処理装置と通信を行って、当該画像処理装置で生成された画像ファイルを受信する手順Ｂ−１が含まれる。したがって、当該プログラムは、画像処理装置から直接的に画像ファイルを受け取るので画像ファイルの機密性を高めることができる。
【００１１】
請求項３に記載のプログラムは、請求項１に記載のプログラムであって、前記手順Ｂは、前記画像処理装置が画像ファイルを書き込む共有フォルダから前記画像処理装置で生成された画像ファイルを取得する手順Ｂ−１を含むことを特徴としている。
【００１２】
このプログラムによれば、手順Ｂには、画像処理装置が画像ファイルを書き込む共有フォルダから画像処理装置で生成された画像ファイルを取得する手順Ｂ−１が含まれる。したがって、当該プログラムは、画像処理装置と通信を行なわず、共有フォルダから画像ファイルを取得するので、構成を単純にすることができる。
【００１３】
請求項４に記載のプログラムは、請求項１乃至３のいずれか１に記載のプログラムであって、電子メールソフトであることを特徴としている。
【００１４】
このプログラムは、電子メールソフトであるので、草稿用フォルダを自身で管理することができ、画像ファイルや電子メールの機密性を高めることができる。
【００１５】
上記目的を達成するために、請求項５に記載の記録媒体は、請求項１乃至４のいずれか１に記載のプログラムが記録されたコンピュータ読み取り可能な記録媒体である。
【００１６】
この記録媒体には、請求項１乃至４のいずれかに記載のプログラムが記憶されているので、コンピュータに請求項１乃至４のいずれかに記載のプログラムを読み取らせて実行させることができる。
【００１７】
上記目的を達成するために、請求項６に記載の画像処理装置は、請求項２又は４に記載のプログラムがインストールされたパーソナルコンピュータとネットワークを介して接続される画像処理装置であって、原稿の画像を読み取って画像ファイルを生成する生成手段と、前記パーソナルコンピュータと通信を行って前記生成手段で生成した画像ファイルを送信する送信手段と、を備えることを特徴としている。
【００１８】
この構成によれば、請求項２又は４に記載のプログラムがインストールされたパーソナルコンピュータとネットワークを介して接続される画像処理装置であって、生成手段により、原稿の画像が読み取られて画像ファイルが生成され、送信手段によりパーソナルコンピュータと通信が行われて、生成手段で生成された画像ファイルが送信される。したがって、請求項２又は４に記載のプログラムがインストールされたパーソナルコンピュータと協働する画像処理装置が得られる。
【００１９】
上記目的を達成するために、請求項７に記載の画像処理装置は、請求項３又は４に記載のプログラムがインストールされたパーソナルコンピュータとネットワークを介して接続される画像処理装置であって、原稿の画像を読み取って画像ファイルを生成する生成手段と、前記生成手段で生成した画像ファイルを、前記パーソナルコンピュータの共有フォルダに書き込む書込手段と、を備えることを特徴としている。
【００２０】
この構成によれば、請求項７に記載の画像処理装置は、請求項３又は４に記載のプログラムがインストールされたパーソナルコンピュータとネットワークを介して接続される画像処理装置であって、生成手段により、原稿の画像が読み取られて画像ファイルが生成され、書込手段により、生成手段で生成された画像ファイルがパーソナルコンピュータの共有フォルダに書き込まれる。したがって、請求項３又は４のプログラムがインストールされたパーソナルコンピュータと協働する画像処理装置が得られる。
【００２１】
上記目的を達成するために、請求項８に記載のプログラムは、請求項２又は４に記載のプログラムがインストールされたパーソナルコンピュータとネットワークを介して接続された画像処理装置に搭載されたコンピュータに、原稿の画像を読み取って画像ファイルを生成する手順Ｄ、前記パーソナルコンピュータと通信を行って前記手順Ｄにおいて生成した画像ファイルを送信する手順Ｅ、を実行させる。
【００２２】
このプログラムによれば、請求項２又は４に記載のプログラムがインストールされたパーソナルコンピュータとネットワークを介して接続された画像処理装置に搭載されたコンピュータに、手順Ｄにおいて、原稿の画像を読み取って画像ファイルを生成させ、手順Ｅにおいて、パーソナルコンピュータと通信を行って、手順Ｄで生成した画像ファイルを送信させる。したがって、請求項２又は４に記載のプログラムと協働することができる。
【００２３】
上記目的を達成するために、請求項９に記載のプログラムは、請求項３又は４に記載のプログラムがインストールされたパーソナルコンピュータとネットワークを介して接続された画像処理装置に搭載されたコンピュータに、原稿の画像を読み取って画像ファイルを生成する手順Ｄ、前記手順Ｄにおいて生成した画像ファイルを、前記パーソナルコンピュータの共有フォルダに書き込む手順Ｅ、を実行させる。
【００２４】
このプログラムによれば、請求項３又は４に記載のプログラムがインストールされたパーソナルコンピュータとネットワークを介して接続された画像処理装置に搭載されたコンピュータに、手順Ｄにおいて、原稿の画像を読み取って画像ファイルを生成させ、手順Ｅにおいて、手順Ｄで生成した画像ファイルをパーソナルコンピュータの共有フォルダに書き込ませる。したがって、請求項３又は４に記載のプログラムと協働することができる。
【００２５】
上記目的を達成するために、請求項１０に記載の記録媒体は、請求項８又は９に記載のプログラムが記録されたコンピュータ読み取り可能な記録媒体である。
【００２６】
この記録媒体には、請求項８又は９に記載のプログラムが記憶されているので、コンピュータに請求項８又は９に記載のプログラムを読み取らせて実行させることができる。
【発明を実施するための最良の形態】
【００２７】
以下、図面を参照しつつ、本発明に係る画像処理装置及びプログラムについて説明する。画像処理装置の一例としての複合機１は、ファクシミリ機能、インターネットファクシミリ機能、電子メール機能、スキャン機能、コピー機能、プリント機能、通話機能などを備えた、いわゆるファクシミリ複合機と呼ばれるものである。複合機１は、オフィスなどに設置され、図１に示すように、公衆交換電話網（ＰＳＴＮ：Public Switched Telephone Networks）２及びＬＡＮ３（Local Area Network）に接続される。ＬＡＮ３には、複合機１の他に、クライアントＰＣ（Personal Computer）４やメール・サーバ５なども接続される。また、ＬＡＮ３には、ルータ６も接続され、ＬＡＮ３は、ルータ６を介してインターネット７に接続される。
【００２８】
本発明に係るプログラムは、複合機１において実行されるプログラム（以下、「複合機プログラム」という。）、及び、クライアントＰＣ４において実行されるプログラム（以下、「アプリケーション」という。）である。
【００２９】
図２は、複合機１の構成例を示したブロック図である。この複合機１は、図２に示すように、ＣＰＵ（Central Processing Unit）１０１、ＲＯＭ（Read Only Memory）１０２、ＲＡＭ（Random Access Memory）１０３、ＨＤＤ（Hard Disk Drive）１０４、操作部１０５、表示部１０６、原稿読取部１０７、画像処理部１０８、コーデック（ＣＯＤＥＣ：Coder and Decoder）１０９、画像メモリ１１０、プリンタ１１１、ＦＡＸ通信部１１２、及び、ＬＡＮ−Ｉ／Ｆ（Local Area Network Interface）１１３を備えており、各部１０１乃至１１３は、バス（bus）１１４によって通信可能に接続されている。
【００３０】
ＣＰＵ１０１は、ＲＯＭ１０２に記憶されている制御プログラムに従って、複合機１の各部の動作を制御する。ＲＯＭ１０２は、ＣＰＵ１０１によりこの複合機１の各部の動作を制御するための前記制御プログラムなどを記憶する。本発明に係る複合機プログラムもこのＲＯＭ１０２に記憶されている。ＲＡＭ１０３は、複合機１の動作に用いる設定情報などの各種データなどを、読み出し及び書き込みが可能な状態で記憶するものであり、ＣＰＵ１０１のワークエリアとしても機能する。ＨＤＤ１０４は、ファクシミリ機能で送受信した画像データの蓄積などを行うためのものである。
【００３１】
操作部１０５は、図示しないが、原稿の読み取り（スキャン）動作の開始を指示するためのスタートキー、ファクシミリ番号、コピー部数などを入力するためのテンキー、文字の入力を行うための文字入力キー、操作対象を指定するためのカーソルキーなどを備えている。表示部１０６は、各種の設定状態や自装置１の動作状態などを文字や図形などで表示するタッチパネル式の液晶表示装置（ＬＣＤ：Liquid Crystal Display）（オペレーションパネル）や、点灯又は消灯で表示するＬＥＤ（Light Emitting Diode）ランプなどを備えている。操作部１０５が備える各キーの操作や表示部１０６が備える液晶表示装置のパネルのタップに応じて液晶表示装置の表示が変化し、この液晶表示装置の表示に対応した操作部１０５の各キーへの操作や液晶表示装置のパネルのタップにより各種の入力を行うことができる。
【００３２】
原稿読取部１０７は、原稿の画像を読み取って画像データを生成するものであり、図示しないが、例えば、透明な原稿載置板に載置された原稿を読み取るフラット・ベッド・スキャナ（ＦＢＳ：Flat Bed Scanner）や、原稿トレイに載置された原稿を読み取るべく、その原稿を搬送する自動原稿給送装置（ＡＤＦ：Automatic Document Feeder）を備えている。
【００３３】
画像処理部１０８は、原稿読取部１０７から出力された画像データに対して、色調整、色空間変換、２値化等の処理を行うものである。コーデック１０９は、画像処理部１０８等によって処理された画像データを符号化（エンコード）し、また、符号化された画像データを復号（デコード）するものである。コーデック１０９に入力された画像データは、ＪＰＥＧ、ＭＨ、ＭＲ、ＭＭＲ、ＪＢＩＧ方式等に基づいて符号化され、画像メモリ１１０に記憶される。また、コーデック１０９によって符号化された画像データは、さらに、ＴＩＦＦ（Tagged Image File Format）ファイルなどの画像ファイルに形成されて、ＨＤＤ１０４に記憶される。
【００３４】
プリンタ１１１は、画像メモリ１１０から読み出され、コーデック１０９によって復号された画像データを印刷出力するものである。
【００３５】
ＦＡＸ通信部１１２は、原稿の画像データをファクシミリ（ＦＡＸ）通信するものであり、図示しないが、モデム（ＭＯＤＥＭ：MOdulator-DEModulator）及びＮＣＵ（Network Control Unit）を備えている。モデムは、例えばＩＴＵ−Ｔ（国際電気通信連合電気通信標準化部門）の勧告Ｖ．３４規格又はこれと同様のものに従った送受信データの変調及び復調を行うものである。ＮＣＵは、電話回線を制御して電話をかけたり、切ったりする回線網制御装置でありＰＳＴＮ２に接続される。ＰＳＴＮ２には、複合機１の他にＧ３ファクシミリ装置などが通信可能に接続され、複合機１は、Ｇ３ファクシミリ装置などとの間で画像データをファクシミリ通信により送信又は受信することが可能である。
【００３６】
ＬＡＮ−Ｉ／Ｆ１１３は、複合機１をＬＡＮ３に接続可能にするものである。ＬＡＮ３には、クライアントＰＣ４なども接続され、複合機１は、クライアントＰＣ４などとの間でデータの通信が可能である。また、複合機１は、ＬＡＮ３及びルータ６を介して、インターネット７上に設けられたその他の複合機などと接続され、その他の複合機などとの間でインターネットファクシミリ通信を行うことができる。ここで、インターネットファクシミリ通信とは、例えば、ＴＩＦＦ−Ｓ形式のファイル（画像データ）を添付した電子メールをＳＭＴＰ（Simple Mail Transfer Protocol）で送受信する通信である。
【００３７】
図３は、クライアントＰＣ４の構成例を示したブロック図である。このクライアントＰＣ４は、図３に示すように、ＣＰＵ２０１、ＲＯＭ２０２、ＲＡＭ２０３、ＨＤＤ２０４、キーボード２０５、マウス２０６、ディスプレイ２０７、ＬＡＮ−Ｉ／Ｆ２０８を備えており、各部２０１乃至２０８は、バス２０９によって通信可能に接続されている。
【００３８】
ＣＰＵ２０１は、ＨＤＤ２０４から読み出されてＲＡＭ２０３に格納されている制御プログラム（ＯＳ：Operating System）、例えば、Windows（登録商標）ＸＰなどに従って、クライアントＰＣ４の動作を制御するものである。ＲＯＭ２０２は、クライアントＰＣ４の動作に必要な各種の設定データ等を格納する。ＲＡＭ２０３は、ＣＰＵ２０１のワークエリア等として機能するものであり、実行するプログラムの一部又は全部がＨＤＤ２０４から読み出されて格納される。ＨＤＤ２０４は、ＣＰＵ２０１によりこのクライアントＰＣ４の動作を制御するための前記制御プログラムや、利用者の利用に供される種々のプログラムやデータを記憶する。本発明に係るアプリケーションや電子メールソフト（メーラー）もＨＤＤ２０４に記憶されている。
【００３９】
キーボード２０５及びマウス２０６は、利用者がこれらを用いてクライアントＰＣ４に所望の動作をさせるための指示や所望の情報の入力を行うためのものである。ディスプレイ２０７は、例えばＬＣＤ等からなり、各種の画面情報を表示するものである。ＬＡＮ−Ｉ／Ｆ２０８は、クライアントＰＣ４とＬＡＮ３とを接続するものである。したがって、クライアントＰＣ４は、ＬＡＮ３を介して、複合機１及びメール・サーバ５との間で情報の送受信を行うことができる。
【００４０】
このような、複合機１とクライアントＰＣ４とでは、複合機１で原稿を読み取って生成された画像データに基づく画像ファイルがクライアントＰＣ４に送られる。そして、クライアントＰＣ４において、当該画像ファイルを添付した電子メールが生成され、生成された電子メールが電子メールソフトによって管理される草稿用フォルダに保存される。したがって、利用者は、電子メールソフトを利用して、草稿用フォルダに保存された草稿途中の電子メールを開いて、手間をかけることなく間単に、所望のサブジェクトやメール本文を作成し、電子メールアドレスを入力して、当該電子メールを所望の宛先に送信することができる。
【００４１】
（第１の実施の形態）
図４は、第１の実施の形態を説明する説明図である。図４に示すように、複合機１では複合機プログラム１ａが動作しており、クライアントＰＣ４では、アプリケーション４ａが常駐して動作している。アプリケーション４ａは、所定の通信プロトコルを用いて複合機プログラム１ａと通信を行い、複合機１で原稿を読み取ることによって生成された画像ファイルを受信する。そして、アプリケーション４ａは、複合機１から受信した画像ファイルを添付ファイルとして添付した電子メールを生成し、電子メールソフト４ｂが管理する草稿用フォルダ４ｃに保存する。
【００４２】
図５は、複合機１のＣＰＵ１０１によって実行される本発明に係る複合機プログラム１ａの処理を説明するフローチャートである。また、図６は、クライアントＰＣ４のＣＰＵ２０１によって実行される本発明に係るアプリケーション４ａの処理を説明するフローチャートである。これらのフローチャートに基づいて、利用者が複合機１を用いて電子メールに添付する画像ファイルを生成した場合に、複合機１及びクライアントＰＣ４で実行されるプログラム（複合機プログラム１ａ及びアプリケーション４ａ）の処理について説明する。
【００４３】
図５を参照して、まず、利用者が、複合機１で生成した画像ファイルを送信するクライアントＰＣ４を選択する操作を操作部１０５に対して行うと、複合機１のＣＰＵ１０１は、クライアントＰＣ４の選択の入力を受け付ける（ステップＳ１）。このクライアントＰＣ４の選択の入力は、例えば、予め複合機１に登録されているクライアントＰＣ４のＩＰアドレスを選択することによって行われる。そして、利用者が原稿読取部１０７に原稿をセットして読み取りの開始の操作を操作部１０５に対して行うと、ＣＰＵ１０１は、原稿読取部１０７を駆動して原稿を読み取って（ステップＳ２）画像データを生成し、生成した画像データに基づいて、ＴＩＦＦ形式の画像ファイルを生成する（ステップＳ３）。
【００４４】
画像ファイルの生成が完了すると、次に、ＣＰＵ１０１は、クライアントＰＣ４において常駐しているアプリケーション４ａに対して、通信開始要求の送信を行う（ステップＳ４）。通信開始要求を送信した後は、クライアントＰＣ４のアプリケーション４ａから通信開始の応答を受信したか否かを判断する（ステップＳ５）。通信開始の応答を受信しないと判断する間（ステップＳ５：ＮＯ）は待機し、通信開始の応答を受信したと判断すると（ステップＳ５：ＹＥＳ）、所定の通信プロトコルを用いてクライアントＰＣ４のアプリケーション４ａと通信を行って、ステップＳ３で生成したＴＩＦＦ形式の画像ファイルをアプリケーション４ａ（クライアントＰＣ４）に対して送信する（ステップＳ６）。
【００４５】
一方、図６を参照して、クライアントＰＣ４のＣＰＵ２０１は、複合機１の複合機プログラム１ａから通信開始要求を受信したか否かを判断する（ステップＳ１０）。通信開始要求を受信しないと判断する間（ステップＳ１０：ＮＯ）は待機し、通信開始要求を受信したと判断すると（ステップＳ１０：ＹＥＳ）、通信の準備を行って、通信の準備ができたことを示す通信開始応答を複合機１の複合機プログラム１ａに送信する（ステップＳ１１）。そして、次に、ＣＰＵ２０１は、所定の通信プロトコルを用いて複合機１の複合機プログラム１ａと通信を行って、複合機１で生成されたＴＩＦＦ形式の画像ファイルを受信する（ステップＳ１２）。
【００４６】
画像ファイルを受信すると、ＣＰＵ２０１は、電子メールを生成し（ステップＳ１３）、生成した電子メールにステップＳ１２で受信した画像ファイルを添付ファイルとして添付する（ステップＳ１４）。なお、ステップ１３において生成される電子メールは、宛先欄、サブジェクト欄、及び、本文欄が未記入・未設定の状態である。次に、ＣＰＵ２０１は、ステップＳ１３で生成し、ステップＳ１４で画像ファイルを添付した電子メールを、電子メールソフト４ｂが管理する草稿用フォルダ４ｃに保存する（ステップＳ１５）。そして、アプリケーション４ａを終了する操作が利用者によって行われたか判断し（ステップＳ１６）、終了する操作が行われていないと判断すると（ステップＳ１６：ＮＯ）、ステップＳ１０に戻り、終了する操作が行われたと判断すると（ステップＳ１６：ＹＥＳ）アプリケーション４ａを終了する。
【００４７】
このような、複合機プログラム１ａとアプリケーション４ａとの働きにより、複合機１で生成された画像ファイルが添付された電子メールが電子メールソフト４ｂによって管理される草稿用フォルダ４ｃに保存される。したがって、利用者は、クライアントＰＣ４で電子メールソフト４ｂを用いて手間をかけず簡単な操作で、草稿用フォルダ４ｃに保存されている電子メールに対して、宛先欄、サブジェクト欄、及び、本文欄の記入・設定をすることができる。
【００４８】
（第２の実施の形態）
図７は、第２の実施の形態を説明する説明図である。図７に示すように、複合機１では複合機プログラム１ｂが動作しており、クライアントＰＣ４では、アプリケーション４ｅが常駐して動作している。そして、複合機１の複合機プログラム１ｂは、原稿を読み取ることによって生成した画像ファイルをクライアントＰＣ４の共有フォルダ４ｄに書き込む。そして、クライアントＰＣ４では、アプリケーション４ｅが共有フォルダ４ｄを監視しており、共有フォルダ４ｄに画像ファイルが書き込まれると、この画像ファイルを取得して当該画像ファイルを添付ファイルとして添付した電子メールを生成し、電子メールソフト４ｂが管理する草稿用フォルダ４ｃに保存する。
【００４９】
図８は、複合機１のＣＰＵ１０１によって実行される本発明に係る複合機プログラム１ｂの処理を説明するフローチャートである。また、図９は、クライアントＰＣ４のＣＰＵ２０１によって実行される本発明に係るアプリケーション４ｅの処理を説明するフローチャートである。これらのフローチャートに基づいて、利用者が複合機１を用いて電子メールに添付する画像ファイルを生成した場合に、複合機１及びクライアントＰＣ４で実行されるプログラム（複合機プログラム１ｂ及びアプリケーション４ｅ）の処理について説明する。
【００５０】
図８を参照して、まず、利用者が、複合機１で生成した画像ファイルを書き込むクライアントＰＣ４の共有フォルダ４ｄを選択する操作を操作部１０５に対して行うと、複合機１のＣＰＵ１０１は、共有フォルダ４ｄの選択の入力を受け付ける（ステップＳ２０）。このクライアントＰＣ４の共有フォルダ４ｄ選択の入力は、例えば、予め複合機１に登録されている共有フォルダ４ｄを選択することや、ネットワーク（ＬＡＮ３）上の各クライアントＰＣ４の共有フォルダ４ｄを参照して指定することによって行われる。利用者が原稿読取部１０７に原稿をセットして読み取りの開始の操作を操作部１０５に対して行うと、ＣＰＵ１０１は、原稿読取部１０７を駆動して原稿を読み取って（ステップＳ２１）画像データを生成し、生成した画像データに基づいて、ＴＩＦＦ形式の画像ファイルを生成する（ステップＳ２２）。
【００５１】
画像ファイルの生成が完了すると、次に、ＣＰＵ１０１は、ＳＭＢ（Server Message Block）プロトコルを使用して、ステップＳ２０において選択を受け付けたクライアントＰＣ４の共有フォルダ４ｄにアクセスしてステップＳ２２で生成した画像ファイルを書き込む（ステップＳ２３）。
【００５２】
一方、図９を参照して、クライアントＰＣ４のＣＰＵ２０１は、共有フォルダ４ｄをポーリング（polling）により監視し、画像ファイルが存在するか否か、つまり、複合機１の複合機プログラム１ｂによって画像ファイルが書き込まれたか否かを判断する（ステップＳ３０）。画像ファイルが存在しないと判断する間（ステップＳ３０：ＮＯ）は待機し、画像ファイルが存在すると判断すると（ステップＳ３０：ＹＥＳ）、共有フォルダ４ｄから画像ファイルを取得する（ステップＳ３１）。
【００５３】
画像ファイルを取得すると、ＣＰＵ２０１は、電子メールを生成し（ステップＳ３２）、生成した電子メールにステップＳ３１で取得した画像ファイルを添付ファイルとして添付する（ステップＳ３３）。なお、ステップ１３において生成される電子メールは、送信先欄、サブジェクト欄、及び、本文欄が未記入・未設定の状態である。次に、ＣＰＵ２０１は、ステップＳ３２で生成し、ステップＳ３３で画像ファイルを添付した電子メールを、電子メールソフト４ｂが管理する草稿用フォルダ４ｃに保存する（ステップＳ３４）。そして、アプリケーション４ｅを終了する操作が利用者によって行われたか判断し（ステップＳ１６）、終了する操作が行われていないと判断すると（ステップＳ１６：ＮＯ）、ステップＳ１０に戻り、終了する操作が行われたと判断すると（ステップＳ１６：ＹＥＳ）アプリケーション４ｅを終了する。
【００５４】
このような、複合機プログラム１ｂとアプリケーション４ｅとの働きにより、複合機１で原稿を読み取ることによって生成された画像ファイルが添付された電子メールが、電子メールソフト４ｂによって管理される草稿用フォルダ４ｃに保存される。したがって、利用者は、クライアントＰＣ４で電子メールソフト４ｂを用いて手間をかけず簡単な操作で、草稿用フォルダ４ｃに保存されている電子メールに対して、宛先欄、サブジェクト欄、及び、本文欄の記入をすることができる。
【００５５】
なお、本発明の実施の形態は上述の形態に限らず、発明の思想の範囲内で、種々に変更することができる。例えば、第１の実施の形態におけるアプリケーション４ａと電子メールソフト４ｂとを１つのプログラムに統合してもよい。この場合は、図１０に示すように、クライアントＰＣ４で常駐する電子メールソフト４ｆが複合機１の複合機プログラム１ａと通信を行って画像ファイルを受信し、電子メールソフト４ｆが、画像ファイルを添付ファイルとして添付した電子メールを草稿用フォルダ４ｃに保存する。また、同様に、第２の実施の形態におけるアプリケーション４ｅと電子メールソフト４ｂとを１つのプログラムに統合してもよい。この場合は、図１１に示すように、クライアントＰＣ４で常駐する電子メールソフト４ｇが、共有フォルダ４ｄから画像ファイルを取得し、電子メールソフト４ｇが、画像ファイルを添付ファイルとして添付した電子メールを草稿用フォルダ４ｃに保存する。
【産業上の利用可能性】
【００５６】
本発明は、例えば、スキャンした原稿の画像データをファイルとしてクライアントＰＣに出力する画像処理装置、並びに、画像処理装置又はクライアントＰＣにて実行されるプログラムに適用可能である。
【図面の簡単な説明】
【００５７】
【図１】本発明に係る複合機１が設置されるネットワークの構成例を示す説明図である。
【図２】複合機１の構成例を示すブロック図である。
【図３】クライアントＰＣ４の構成例を示すブロック図である。
【図４】第１の実施の形態を説明する説明図である。
【図５】本発明に係る複合機プログラム１ａの処理を説明するフローチャートである。
【図６】本発明に係るアプリケーション４ａの処理を説明するフローチャートである。
【図７】第２の実施の形態を説明する説明図である。
【図８】本発明に係る複合機プログラム１ｂの処理を説明するフローチャートである。
【図９】本発明に係るアプリケーション４ｅの処理を説明するフローチャートである。
【図１０】第１の実施の形態の変形例を説明する説明図である。
【図１１】第２の実施の形態の変形例を説明する説明図である。
【符号の説明】
【００５８】
１      複合機（画像処理装置）
１０１  ＣＰＵ
１０３  ＲＡＭ
１０５  操作部
１０６  表示部
１０７  原稿読取部
１０９  コーデック
【図１】
2008263333.tif 000003
【図２】
2008263333.tif 000004
【図３】
2008263333.tif 000005
【図４】
2008263333.tif 000006
【図５】
2008263333.tif 000007
【図６】
2008263333.tif 000008
【図７】
2008263333.tif 000009
【図８】
2008263333.tif 000010
【図９】
2008263333.tif 000011
【図１０】
2008263333.tif 000012
【図１１】
2008263333.tif 000013